(57)【要約】 【課題】本発明は、紫外線ランプと可視光線ランプを使用し、時々刻々と変化する光を被写体に与え、被写体自体を引き立たせるための演出を行うことができる照明装置を提供することを目的とする。【解決手段】  パターンデータ２５は、紫外線ランプ１１または可視光線ランプ１２・１３の照度を暗い照度から明るい照度へ徐々に移行させるフェードイン手段２６と、紫外線ランプ１１または可視光線ランプ１２・１３の照度を明るい照度から暗い照度へ徐々に移行させるフェードアウト手段２７と、を備えたので、照明装置１は、紫外線ランプ１１により被写体が発光し白く鮮やかに見えたり、鮮やかな白が今度は徐々に薄れ、可視光線ランプ１２・１３の色が現れて来たりと、被写体５に与える色の演出を様々に楽しむことができる。【選択図】  図４
2009266672.tif 000002
【特許請求の範囲】
【請求項１】
紫外線を放射する紫外線ランプおよび可視光線であって有彩色を放射する可視光線ランプを一つのユニットに収容するとともに、被写体を照射するように構成された照明ユニットと、当該照明ユニットに接続され前記紫外線ランプおよび前記可視光線ランプの照度を制御する制御部とを備えた照明装置であって、
前記制御部は、各ランプの照度を時間に伴い制御するパターンが記憶されたパターンデータと、当該パターンデータに基づいて各ランプの照度を制御する制御コントローラと、を設け、
前記パターンデータは、前記各ランプの照度を暗い照度から明るい照度へ徐々に移行させるフェードイン手段と、前記各ランプの照度を明るい照度から暗い照度へ徐々に移行させるフェードアウト手段と、を備えたことを特徴とする照明装置。
【請求項２】
前記パターンデータは、各ランプの定格電力での最大照度を１００％とした際に、前記紫外線ランプを１００％の照度にしたとき、前記可視光線ランプを１００％の照度で点灯するパターンを備えたことを特徴とする請求項１に記載の照明装置。
【請求項３】
前記照明ユニットは、異なる有彩色の可視光線ランプを少なくとも２個設け、
前記パターンデータは、各ランプの定格電力での最大照度を１００％とした際に、前記紫外線ランプを１００％の照度にしたとき、少なくともどちらか一方の前記可視光線ランプを１００％の照度で点灯するパターンを備えたことを特徴とする請求項１に記載の照明装置。
【請求項４】
紫外線を放射する紫外線ランプおよび可視光線であって有彩色を放射する可視光線ランプを一つのユニットに収容するとともに、被写体を照射するように構成された照明ユニットと、当該照明ユニットに接続され前記紫外線ランプおよび前記可視光線ランプの照度を制御する制御部とを備えた照明装置であって、
前記制御部は、商用交流電源を入力する入力部と、当該入力部から入力された電源の電流又は電圧を調整する電力調整部と、各ランプに対応して設けられるとともに、前記電力調整部に接続され前記各ランプの照度を調整することが可能な操作スイッチと、当該操作スイッチで調整した電力を前記照明ユニットに出力する出力部と、を備えたことを特徴とする照明装置。
【発明の詳細な説明】
【技術分野】
【０００１】
本発明は、室内の壁面を照らす壁面照明やショーウインドウに飾られる被写体を照らすショーウインドウ照明や屋外のビル等の壁面を照らす屋外照明に使用される照明ユニットの一部に紫外線ランプを搭載し、被写体をその照明により演出する照明装置に関するものである。
【背景技術】
【０００２】
紫外線ランプを使用した照明装置は様々な用途で使用されており、例えば３１５ｎｍないし４００ｎｍの波長域の紫外線を放射する紫外線ランプおよび可視光を放射する可視光ランプを一つのユニットに収容するとともに、発光機能を有する塗料を一部に塗布した被写体を照射するように構成された照明器具があり、発光機能を有する被写体は紫外線ランプからの紫外線を照射することにより蛍光発光し、発光機能を有する以外の部分は可視光線ランプからの可視光により照射されて明るくなり、発光機能を有する部分と発光機能を有する以外の部分との輝度差が小さくなり、視認性が向上する技術が採用されている（例えば特許文献１）。
【０００３】
【特許文献１】特開平１０−３３１１１９号公報（段落〔００１７〕から段落〔００１９〕、段落〔００２１〕から段落〔００２３〕、図１）
【発明の開示】
【発明が解決しようとする課題】
【０００４】
従来から紫外線ランプは演出用照明として採用されている。例えば、可視光線の波長帯域では視認できなく、紫外線の波長帯域で発光する蛍光塗料を室内の壁面等に描き、室内を暗くしたときに紫外線ランプを照射することで、可視光線で見る範囲では何もないところから突然、蛍光塗料で描いた絵が浮かびあがり驚かせるような演出に使用するものなどがある。
しかしながら、これら演出では被写体が変化するのは、紫外線ランプをＯＮとし、可視光線をＯＦＦとしたときに壁面（被写体）に描かれた絵が現れるか、その逆の紫外線ランプをＯＦＦとし、可視光線をＯＮとしたときに壁面が現れるかの２通りの変化しかなく、演出の用途が限られていた。そして、これら演出の要素は、発光機能を有する蛍光塗料で描かれた絵が中心であり、壁面（被写体）そのものを注目させる物ではなかった。
【０００５】
そこで、本発明は、紫外線ランプと可視光線ランプを使用し、時々刻々と変化する光を被写体に与え、被写体自体を引き立たせるための演出を行うことができる照明装置を提供することを目的とする。
【課題を解決するための手段】
【０００６】
本課題を解決するために請求項１記載の本発明は、紫外線（ＢＬＡ）を放射する紫外線ランプ（紫外線ランプ１１、例えば、ＬＥＤ・ＥＥＦＬ・蛍光管、電球）および可視光線（ＣＯＯ・ＣＹＹ）であって有彩色（オレンジ色、黄色、例えば青、緑、紫、赤、ピンク、蛍光灯色等）を放射する可視光線ランプ（可視光線ランプ１２・１３のいずれか一つであってもよい、その他可視光線ランプには例えば、ＬＥＤ・ＥＥＦＬ・蛍光管、電球）を一つのユニットに収容するとともに、被写体（５・６、例えばおもちゃ・壁面・衣服・鞄等）を照射するように構成された照明ユニット（照明ユニット１０）と、当該照明ユニット（照明ユニット１０）に接続され前記紫外線ランプおよび前記可視光線ランプの照度を制御する制御部（制御部４０）とを備えた照明装置（照明装置１）であって、前記制御部は、各ランプ（紫外線ランプ１１及び可視光線ランプ１２・１３、可視光線ランプはいずれか一つであってもよい）の照度を時間に伴い制御するパターンが記憶されたパターンデータ（パターンデータ２５）と、当該パターンデータ（パターンデータ２５）に基づいて各ランプ（紫外線ランプ１１及び可視光線ランプ１２・１３、可視光線ランプはいずれか一つであってもよい）の照度を制御する制御コントローラ（制御コントローラ２０）と、を設け、前記パターンデータ（パターンデータ２５）は、前記各ランプ（紫外線ランプ１１及び可視光線ランプ１２・１３、可視光線ランプはいずれか一つであってもよい）の照度を暗い照度から明るい照度へ徐々に移行させるフェードイン手段（フェードイン手段２６）と、前記各ランプ（紫外線ランプ１１及び可視光線ランプ１２・１３、可視光線ランプはいずれか一つであってもよい）の照度を明るい照度から暗い照度へ徐々に移行させるフェードアウト手段（フェードアウト手段２７）と、を備えたことを特徴とする。  
【０００７】
以上の構成により、照明装置は紫外線ランプや可視光線ランプを時々刻々と被写体に与える光の照度を変化させることができるので、紫外線ランプの放射により被写体が発光し白く鮮やかに見えたり、鮮やかな白が今度は徐々に薄れ、可視光線ランプの光りの色が現れて来たりと、被写体に与える色の演出を様々に楽しむことができる。
可視光線ランプは、いずれか一つであっても本実施形態を実現できるが、複数である場合には多色の色を放射することができるので、多彩な演出ができなおよい。
【０００８】
本課題を解決するために請求項２記載の本発明は、前記パターンデータ（パターンデータ２５）は、各ランプ（紫外線ランプ１１及び可視光線ランプ１２・１３、可視光線ランプはいずれか一つであってもよい）の定格電力での最大照度を１００％とした際に、前記紫外線ランプ（紫外線ランプ１１、例えば、ＬＥＤ・ＥＥＦＬ・蛍光管、電球）を１００％の照度にしたとき、前記可視光線ランプ（可視光線ランプ１２・１３のいずれか一つであってもよい、その他可視光線ランプには例えば、ＬＥＤ・ＥＥＦＬ・蛍光管、電球）を１００％の照度で点灯するパターンを備えたことを特徴とする。
以上の構成により、照明装置は、紫外線ランプを１００％の照度にしたとき、可視光線ランプが１００％の照度となるので、可視光線ランプの光は被写体に放射され、可視光線ランプの光の色の中に混じって被写体が紫外線ランプの光で発光し白く鮮やかに見えるので被写体を際だたせることができる。これは、紫外線ランプと可視光線ランプが時々刻々と照度が変化するために更に被写体が際だって見えるのである。
可視光線ランプは、いずれか一つであっても本実施形態を実現できるが、複数である場合には多色の色を放射することができるので、多彩な演出ができなおよい。
【０００９】
本課題を解決するために請求項３記載の本発明は、照明ユニット（照明ユニット１０）は、異なる有彩色（オレンジ色、黄色、例えば、青、緑、紫、赤、ピンク、蛍光灯色等）の可視光線ランプ（可視光線ランプ１２・１３、例えば、ＬＥＤ・ＥＥＦＬ・蛍光管、電球）を少なくとも２個設け、前記パターンデータ（パターンデータ２５）は、各ランプ（紫外線ランプ１１・可視光線ランプ１２・１３）の定格電力での最大照度を１００％とした際に、前記紫外線ランプ（紫外線ランプ１１、例えば、ＬＥＤ・ＥＥＦＬ・蛍光管、電球）を１００％の照度にしたとき、少なくともどちらか一方の前記可視光線ランプ（可視光線ランプ１２・１３、例えば、ＬＥＤ・ＥＥＦＬ・蛍光管、電球）を１００％の照度で点灯するパターンを備えたことを特徴とする。
以上の構成により、照明装置は、紫外線ランプを１００％の照度にしたとき、可視光線ランプが１００％の照度となるので、可視光線ランプの光は被写体に放射され、可視光線ランプの光の色の中に混じって被写体が紫外線ランプの光で発光し鮮やかに見えるので被写体を際だたせることができる。これは、各ランプが時々刻々と照度が変化するために被写体が更に際だって見えるのである。
【００１０】
本課題を解決するために請求項４記載の本発明は、紫外線（ＢＬＡ）を放射する紫外線ランプ（紫外線ランプ１１、例えば、ＬＥＤ・ＥＥＦＬ・蛍光管、電球）および可視光線（ＣＯＯ・ＣＹＹ）であって有彩色（オレンジ色、黄色、例えば、青、緑、紫、赤、ピンク、蛍光灯色等）を放射する可視光線ランプ（可視光線ランプ１２・１３のいずれか一つであってもよい、その他可視光線ランプには例えば、ＬＥＤ・ＥＥＦＬ・蛍光管）を一つのユニットに収容するとともに、被写体（５・６、例えばおもちゃ・壁面・衣服・鞄等）を照射するように構成された照明ユニット（照明ユニット１０）と、当該照明ユニット（照明ユニット１０）に接続され前記紫外線ランプ（紫外線ランプ１１、例えば、ＬＥＤ・ＥＥＦＬ・蛍光管、電球）および前記可視光線ランプ（可視光線ランプ１２・１３のいずれか一つであってもよい、その他可視光線ランプには例えば、ＬＥＤ・ＥＥＦＬ・蛍光管）の照度を制御する制御部（制御部４０）とを備えた照明装置（照明装置１）であって、前記制御部（制御部４０）は、商用交流電源（商用交流電源７、例えば、ＡＣ１００Ｖ、ＡＣ２００Ｖ）を入力する入力部（入力部３３）と、当該入力部（入力部３３）から入力された電源の電流又は電圧を調整する電力調整部（電力調整部３５）と、各ランプ（紫外線ランプ１１及び可視光線ランプ１２・１３、可視光線ランプ１２・１３はいずれか一つであってもよい）に対応して設けられるとともに、前記電力調整部（電力調整部３５）に接続され前記各ランプ（紫外線ランプ１１・可視光線ランプ１２・１３、可視光線ランプ１２・１３はいずれか一つであってもよい、その他可視光線ランプには例えば、ＬＥＤ・ＥＥＦＬ・蛍光管がある）の照度を調整することが可能な操作スイッチ（操作スイッチ３２）と、当該操作スイッチ（操作スイッチ３２）で調整した電力を前記照明ユニット（照明ユニット１０）に出力する出力部（出力部３４）と、を備えたことを特徴とする。
【００１１】
以上の構成により、照明装置は、紫外線ランプの０から１００％の所望する照度で光を放射することができ、また、可視光線ランプの０から１００％の所望する照度で光を放射することができので、被写体に映る様々な色の変化を楽しむことが可能である。
可視光線ランプは、いずれか一つであっても本実施形態を実現できるが、複数である場合には多色の色を放射することができるので、多彩な演出ができなおよい。
【発明の効果】
【００１２】
本発明の構成により、時々刻々と変化する光を被写体に与え、被写体自体を引き立たせるための演出を行うことができる。
【発明を実施するための最良の形態】
【００１３】
図１乃至図３に基づいて、本実施の形態を以下に説明する。
図１は、本実施形態における照明ユニットを搭載したショーウインドウケースの概要を現した斜視図である。図２は、本実施形態における照明ユニットを搭載したショーウインドウケースの概要を現した側面から見た断面図である。図３は、本実施形態における照明ユニットを現した斜視図である。
【００１４】
図１及び図２は、照明ユニット１０を搭載したショーウインドウケース３の概要を現している。ショーウインドウケース３は、一部を開口した箱状に形成され、その開口された内部に、被写体５・６を載置できる空間を設けている。また、ショーウインドウケース３の上方内部には、被写体５・６に向かって光を放射する照明ユニット１０が被写体５の先端から２０ｃｍの距離離して内蔵されている。
【００１５】
本実施の形態では、被写体５は造花を現し、被写体６は鞠を現している。特に布製品（衣服や垂れ幕や造花等）の中でも、白の布製品は、輝く白を見せるために紫外線（波長３８０ｎｍ付近）を吸収し、それを目に見える青色の可視光線（波長４４０ｎｍ付近）に変えて放出する染料として蛍光増白剤（蛍光塗料）が製造段階で使用されている。そのため、これら布製品を使用した被写体に紫外線を放射すると鮮やかに白が浮き出て見えるのである。そして、本実施の形態では、蛍光増白剤が使用された造花５が載置され、造花５の先端から照明ユニット１０が２０ｃｍ離れた位置に設置されている。
【００１６】
図２及び図３を参照して照明ユニット１０を説明する。照明ユニット１０は、箱状の筐体１５に図示しないトランスと、紫外線ランプ１１と、可視光線ランプ１２・１３とが内蔵されている。紫外線ランプ１１と、可視光線ランプ１２・１３は、板状のベース板１８の上に２箇所に設けられた把持具１６で挟持され取り付けられている。また、各ランプ１１２・１３の上方に、その各ランプ１１・１２・１３を覆う透明なカバー１４が、筐体１５の上端で嵌合して固定されている。
筐体１５の側面には、トランス（図示しない）からの配線や、後述する制御コントローラ２０や制御ＢＯＸ３０からの出力線が挿入される配線孔１７が設けられている。筐体１５の下端には、側方に突出した取付片１９が設けられており、この取付片１９でショーウインドウケース３や壁面にビス等で取付固定される。
【００１７】
紫外線ランプ１１及び可視光線ランプ１２・１３は、各々の両端部を曲げられたガラス管で形成されており、ガラス管の両端に平板の電極を封入している。紫外線ランプ１１及び可視光線ランプ１２・１３は、封入ガスとしてアルゴンガスを用い、グロー放電時に認められる陽光柱の発光現象を利用したものを使用した。
紫外線ランプ１１は、ガラス管の管内壁に蛍光物質を塗布し、このランプの定格電力の最大値となる１３Ｗ付近で発光させた時、ガラス管から紫外線を放射するピーク波長は３６８ｎｍである。
可視光線ランプ１２は、ガラス管の管内壁に蛍光物質を塗布し、オレンジ色（ＣＯＯ）に発光するランプである。この可視光線ランプ１２は、このランプの定格電力の最大値となる１３．２Ｗで発光させた時、国際照明委員会が１９３１年に定めたＣＩＥ１９３１標準表色系で定められた色度ｘが０．５９２で、色度ｙが０．３９１の値の色を発光するものである。
可視光線ランプ１３は、ガラス管の管内壁に蛍光物質を塗布し、黄色（ＣＹＹ）に発光するランプである。この可視光線ランプ１２は、このランプの定格電力の最大値となる１３．６Ｗで発光させた時、ＣＩＥ１９３１標準表色系で定められた色度ｘが０．４９０で、色度ｙが０．４９５の値の色を発光するものである。
【実施例１】
【００１８】
図４に基づいて実施例１における照明装置１の構成をブロック図を基にして説明する。図４は、実施例１における照明装置１を現したブロック図である。
照明装置１は、上述した照明ユニット１０と、制御部４０とから構成されている。本実施例では、ショーウインドウケース３に照明ユニット１０が納められ、照明ユニット１０は、被写体５に向け各ランプ１１・１２・１３から紫外線（ＢＬＡ）や可視光線（ＣＹＹ）、可視光線（ＣＯＯ）を放射している。
【００１９】
制御部４０は、制御コントローラ２０と、制御ＢＯＸ３０と、変換器３６と、ＤＣ電源３７と、から構成されており、照明ユニット１０と商用交流電源７（ＡＣ１００Ｖ）に接続されている。
制御コントローラ２０は、商用交流電源７からＡＣ電源を入力部３３に入力する。制御コントローラ２０は、入力された商用電源の電流又は電圧を制御して電力を調整する電力調整部３５を有している。電力調整部３５で調整された電力は、出力部３４を経由して照明ユニット１０に出力される。
制御コントローラ２０は、照明ユニット１０を複数本接続することが可能である。そして、制御コントローラ２０は、内蔵されたＣＰＵ２１により後述するパターンデータ２５に基づいて、電力調整部３５を制御する。電力調整部３５は、複数本の照明ユニット１０の電力を出力するタイミングや電力量を制御して照度を制御している。
このＣＰＵ２１は、書換可能なＥＥＰＲＯＭ２４やＲＡＭ２３を内蔵している。そして、ＥＥＰＲＯＭ２４は、所定のデータ記憶領域２４に複数の照明ユニット１０を点灯させる複数のパターンデータ２５を記憶している。パターンデータ２５の中には、フェードイン手段２６やフェードアウト手段２７が設けられている。このフェードイン手段２６は、各ランプ１１・１２・１３の照度を暗い照度から明るい照度へ徐々に移行させるパターンデータ２５であり、フェードアウト手段２７は、各ランプ１１・１２・１３の照度を明るい照度から暗い照度へ徐々に移行させるパターンデータ２５である。
【００２０】
次に、制御ＢＯＸ３０は、メインスイッチ３１と各ランプ１１・１２・１３に対応した操作スイッチ３２を設けている。メインスイッチ３１は、制御ＢＯＸ３０の電源をＯＮ・ＯＦＦするスイッチであり、操作スイッチ３２はスライド式のスイッチである。
制御コントローラ２０と制御ＢＯＸ３０の間にはＡ／Ｄ変換器３６が接続されている。
Ａ／Ｄ変換器３６は、制御ＢＯＸ３０からの入力されるアナログ値をデジタル信号に変換し、制御コントローラ２０にそのデータを送信している。また、Ａ／Ｄ変換器３６は、ＤＣ電源３７により駆動されている。
（制御ＢＯＸの動作）
【００２１】
制御ＢＯＸ３０は、メインスイッチをＯＮにすると、Ａ／Ｄ変換器３６を経由してＯＮ信号が流れる。このＯＮ信号の入力に基づき、制御コントローラ２０は、パターンデータ２５での制御を無効にし、制御ＢＯＸ３０からの入力を有効と判断し切替る動作をする（切替手段）。そして、制御ＢＯＸ３０は、操作スイッチ３２が操作されると、スライド量に合わせて、電力量を制御する信号を直線的又は段階的に制御コントローラ２０に与える。制御コントローラ２０は、制御ＢＯＸ３０から入力されたその信号に合わせ、入力された商用電源の電流又は電圧を調整することで電力量を調整し照明ユニット１０に出力している。このようにして、制御コントローラ２０は、制御ＢＯＸ３０の操作スイッチ３２の操作に合わせ、各ランプ１１・１２・１３の照度を調整することができる。
（照明装置の演出動作）
【００２２】
図５乃至図７に基づいて照明装置１が被写体５・６に放射する光の演出の動作について説明する。図５は、実施例１における本実施形態における制御コントローラ３０に記憶されたパターンデータ１により制御される各ランプ１１・１２・１３の照度と時間の関係を現したタイミングチャートＡの図である。図６は、実施例１における本実施形態における制御コントローラ３０に記憶されたデータ１により制御される各ランプ１１・１２・１３の照度を時間毎に現した概念図である。図７は、実施例１における本実施形態における制御コントローラ３０に記憶されたパターンデータ２により制御される各ランプ１１・１２・１３の照度と時間の関係を現したタイミングチャートＢの図である。
【００２３】
図５に示されるパターンデータ１は、横軸を時間で現し、縦軸を各ランプ１１・１２・１３の照度で現している。各ランプ１１・１２・１３の照度は、定格電力の最大値となる１３Ｗ付近で放射するときを１００％としている。時間軸は、ＡからＧまで約６秒であり、ＡからＧまで均等に１秒間間隔の時間が記載されている。
【００２４】
紫外線ランプ１１は、時間Ａのとき照度は１００％を示し、紫外線（ＢＬＡ）を放出している。その後、紫外線ランプ１１は、直線的に徐々に照度を下げていく、時間Ｄの時には照度は０％を示し、紫外線（ＢＬＡ）は放出されていない。その後、紫外線ランプ１１は、時間Ｄから直線的に徐々に照度を上げ、紫外線（ＢＬＡ）を放出していく、時間Ｇの時には、照度は１００％を示し、紫外線（ＢＬＡ）を放出する。時間Ａ→時間Ｂ→時間Ｃ→時間Ｄの過程は、紫外線ランプ１１の照度を明るい照度から暗い照度へ徐々に移行させるフェードアウト手段２７の一つを示している。時間Ｄ→時間Ｅ→時間Ｆ→時間Ｇの過程は、紫外線ランプ１１の照度を暗い照度から明るい照度へ徐々に移行させる紫外線ランプ１１のフェードイン手段２６の一つを示している。
【００２５】
可視光線ランプ１２は、時間Ａの時に照度は１００％を示し、オレンジ色の可視光線（ＣＯＯ）を放出している。その後、可視光線ランプ１２は、直線的に徐々に照度を下げていく、時間Ｇの時に照度は０％を示し、オレンジ色の可視光線（ＣＯＯ）は放出されていない。時間Ａ→時間Ｂ→時間Ｃ→時間Ｄ→時間Ｅ→時間Ｆ→時間Ｇの過程は、可視光線ランプ１２の照度を明るい照度から暗い照度へ徐々に移行させるフェードアウト２７手段の一つを示している。
【００２６】
可視光線ランプ１３は、時間Ａの時に照度は０％を示し、黄色の可視光線（ＣＹＹ）は放出されていない。その後、可視光線ランプ１３は、直線的に徐々に照度を上げていく、時間Ｇの時に照度は１００％を示し、オレンジ色の可視光線（ＣＯＯ）を放出している。時間Ａ→時間Ｂ→時間Ｃ→時間Ｄ→時間Ｅ→時間Ｆ→時間Ｇの過程は、可視光線ランプ１３の照度を暗い照度から明るい照度へ徐々に移行させるフェードイン手段２６の一つを示している。
そして、このように時間的に照明ユニット１０から放出される光は変化し、被写体５・６は、照明ユニット１０が放射する光によって引き立たされている。その様子を図６に基づいて説明する。
【００２７】
照明ユニット１０から放出された光は、時間Ａの時に、紫外線ランプ１１は１００％の照度で紫外線（ＢＬＡ）を放射し、可視光線ランプ１２は１００％の照度でオレンジ色の可視光線（ＣＯＯ）を放射し、可視光線ランプ１３は放射しない。そのため、オレンジ色の可視光線（ＣＯＯ）と、紫外線（ＢＬＡ）とが放射され、ショーウインドウケース３全体がオレンジ色に映り、青く発光する蛍光塗料が塗布された被写体５は、青白く発色し鮮やかに見える。
【００２８】
その後、時間Ｂの時には、紫外線ランプ１１は約６６％の照度で紫外線（ＢＬＡ）を放射し、可視光線ランプ１２は約８４％の照度でオレンジ色の可視光線（ＣＯＯ）を放射し、可視光線ランプ１３は約１６％の照度で黄色の可視光線（ＣＹＹ）を放射する。ショーウインドウケース３全体がオレンジ色に映り、被写体５は少し青白い発色が押さえられ、白い被写体５がオレンジ色に見える。
時間Ｃの時には、紫外線ランプ１１は約３３％の照度で紫外線を放射し、可視光線ランプ１２は約６６％の照度でオレンジ色の可視光線（ＣＯＯ）を放射し、可視光線ランプ１３は約３２％の照度で黄色の可視光線（ＣＹＹ）を放射する。そのため、ショーウインドウケース３全体がオレンジ色に映り、被写体５は青白い発色が押さえられ、白い被写体５が黄色が少し混じったオレンジ色に見える。
【００２９】
時間Ｄの時には、紫外線ランプ１１は紫外線（ＢＬＡ）を放射しない。可視光線ランプ１２は約５０％の照度でオレンジ色の可視光線（ＣＯＯ）を放射し、可視光線ランプ１３は約５０％の照度で黄色の可視光線（ＣＹＹ）を放射する。そのため、ショーウインドウケース３全体が黄色味がかったオレンジ色に映り、白い被写体５が黄色味がかったオレンジ色に見える。
【００３０】
時間Ｅの時には、紫外線ランプ１１は約３３％の照度で紫外線（ＢＬＡ）を放射し、可視光線ランプ１２は約３２％の照度でオレンジ色の可視光線（ＣＯＯ）を放射し、可視光線ランプ１３は約６６％の照度で黄色の可視光線（ＣＹＹ）を放射する。そのため、ショーウインドウケース３全体が黄色に映り、被写体５は青白い発色が少し浮き出てくる。白い被写体５はオレンジ色が少し混じった黄色に見える。
【００３１】
時間Ｆの時には、紫外線ランプ１１は約６６％の照度で紫外線（ＢＬＡ）を放射し、可視光線ランプ１２は約１６％の照度でオレンジ色の可視光線（ＣＯＯ）を放射し、可視光線ランプ１３は約８４％の照度で黄色の可視光線（ＣＹＹ）を放射する。そのため、ショーウインドウケース３全体が黄色に映り、被写体５は青白い発色が浮き出てくる。白い被写体５が黄色に見える。
【００３２】
時間Ｇの時には、紫外線ランプ１１は１００％の照度で紫外線（ＢＬＡ）を放射し、可視光線ランプ１２は放射されず、可視光線ランプ１３は１００％の照度で黄色の可視光線（ＣＹＹ）を放射する。そのため、オレンジ色の可視光線（ＣＯＯ）と、紫外線（ＢＬＡ）とが放射され、ショーウインドウケース３全体が黄色に映り、青く発光する蛍光塗料が塗布された被写体５は、青白く発色し鮮やかに見える。
【００３３】
次に、他の演出パターンとして図７に示されるパターンデータ２を説明する。
紫外線ランプ１１は、時間Ａの時に照度は１００％を示し、紫外線（ＢＬＡ）を放出している。その後、紫外線ランプ１１は、直線的に徐々に照度を下げ、時間Ｂの時に照度を０％にすると、また直線的に徐々に照度を上げ時間Ｃの時に照度を１００％にする。そして、紫外線ランプ１１は、この一連の動作を繰り返す。
可視光線ランプ１２は、時間Ａの時に照度は１００％を示し、オレンジ色の可視光線（ＣＯＯ）を放出している。その後、可視光線ランプ１２は、直線的に徐々に照度を下げ、時間Ｃの時に照度を０％にすると、また直線的に徐々に照度を上げ時間Ｄの時に照度を１００％にする。そして、可視光線ランプ１２は、この一連の動作を繰り返す。
可視光線ランプ１３は、時間Ａのとき光を放射しない。その後、可視光線ランプ１３は、直線的に徐々に照度を上げ、時間Ｃの時に照度を１００％にすると、また直線的に徐々に照度を下げ、時間Ｄの時に照度を０％にする。そして、可視光線ランプ１２は、この一連の動作を繰り返す。
【００３４】
パターンデータ２は、時間Ａ、Ｃ、Ｇの時に、紫外線ランプ１１は１００％の照度で紫外線（ＢＬＡ）を放射し、可視光線ランプ１２又は可視光線ランプ１３は、１００％の照度でオレンジ色の可視光線（ＣＯＯ）又は黄色の可視光線（ＣＹＹ）を放射している。
パターンデータ２は、時間Ｂ、Ｄ、Ｆの時に、紫外線ランプ１１は放射されないが、可視光線ランプ１２又は可視光線ランプ１３は、１００％の照度でオレンジ色の可視光線（ＣＯＯ）又は黄色の可視光線（ＣＹＹ）を放射している。
【００３５】
特に、被写体５・６の蛍光塗料の発光色と可視光線ランプ１２・１３が放射する光の色は、マンセル色相環に基づいて定められる色相の差が１０から１１の補色関係にあるとき、紫外線ランプ１１を１００％の照度で紫外線を放射し、可視光線ランプ１２・１３のどちらか一方又両方を１００％の照度で放射するときに、被写体５・６の周りが可視光線ランプ１２・１３の放射により照らされ、また被写体５・６自体も照らされるので被写体５・６は、より鮮やかに見える。
例えば、本実施例では、被写体５は、青で発光する蛍光塗料が塗布されているとすれば、可視光線ランプ１３は、１００％の照度でオレンジ色の可視光線（ＣＯＯ）又は黄色の可視光線（ＣＹＹ）を放射している。このような色の補色関係にあるときには、被写体５・６の周りがオレンジ色や黄色に照らされ、また被写体５・６自体もオレンジ色や黄色に照らされるので、被写体５・６は紫外線により青く発光し、より鮮明に見えるのである。
【実施例２】
【００３６】
図８に基づいて実施例２を説明する。図８は、実施例２における照明装置１を現したブロック図である。照明装置１は、上述した照明ユニット１０と、制御部４０とから構成されている。本実施例では、ショーウインドウケース３に照明ユニット１０が納められ、照明ユニット１０は、被写体５に向け各ランプ１１・１２・１３から紫外線（ＢＬＡ）や可視光線（ＣＹＹ）、可視光線（ＣＯＯ）を放射している。
【００３７】
制御部４０は、制御ＢＯＸ３０が、照明ユニット１０と商用交流電源７（ＡＣ１００Ｖ）に接続されている。
制御ＢＯＸ３０は、入力部３３と、出力部３４と、電力調整部３５とから構成されている。入力部３３は、商用交流電源７からＡＣ電源を入力し、出力部３４は、電力調整部３５で調整した電力を照明ユニット１０に出力している。電力調整部３５は、メインスイッチ３１と各ランプ１１・１２・１３に対応した操作スイッチ３２を設けている。メインスイッチ３１は、照明ユニット１０への電力の供給をＯＮ・ＯＦＦするスイッチであり、操作スイッチ３２はスライド式のスイッチである。
（制御ＢＯＸの動作）
【００３８】
制御ＢＯＸ３０は、メインスイッチをＯＮにすると、入力部３３に入力された商用電源を電力調整部３５に供給する。電力調整部３５は、操作スイッチ３２のスライド量に合わせて、入力された商用電源の電流又は電圧を制御することで、電力を調整し出力部３４を経由して照明ユニット１０にその調整した電力を出力する。そして、制御ＢＯＸ３０は、各ランプ１１・１２・１３の照度を操作スイッチ３２の操作に応じて調整するのである。
また、操作スイッチ３２を操作することにより、各ランプ１１・１２・１３の照度を暗い照度から明るい照度へ徐々に移行させるフェードイン手段２６や各ランプ１１・１２・１３の照度を明るい照度から暗い照度へ徐々に移行させるフェードアウト手段２７を所望する時間間隔で手で操作することができる。
（本実施の形態から把握される効果）
【００３９】
（１）本実施の形態は、紫外線（ＢＬＡ）を放射する紫外線ランプ１１および可視光線であって有彩色を放射する可視光線ランプ１２・１３を一つのユニットに収容するとともに、発光機能を有する物質（例えば、蛍光塗料、蓄光塗料、蛍光増白剤）を含有する被写体５・６を照射するように構成された照明ユニット１０と、照明ユニット１０に接続され紫外線ランプ１１および可視光線ランプ１２・１３の照度を制御する制御部４０とを備えた照明装置１であって、制御部４０は、可視光線ランプ１２・１３の照度を時間に伴い制御するパターンが記憶されたパターンデータ２５と、パターンデータ２５に基づいて各ランプ１１・１２・１３の照度を制御する制御コントローラ２０とを設け、パターンデータ２５は、紫外線ランプ１１または可視光線ランプ１２・１３の照度を暗い照度から明るい照度へ徐々に移行させるフェードイン手段２６と、紫外線ランプ１１または可視光線ランプ１２・１３の照度を明るい照度から暗い照度へ徐々に移行させるフェードアウト手段２７と、を備えた構成である。
以上の構成により、照明装置１は紫外線ランプ１１や可視光線ランプ１２・１３を時々刻々と被写体５・６に与える光の照度を変化させることができるので、紫外線ランプ１１により被写体５・６が発光し白く鮮やかに見えたり、鮮やかな白が今度は徐々に薄れ、可視光線ランプ１２・１３のオレンジ色又は黄色が徐々に現れて来たりと、被写体５・６に与える色の演出を様々に楽しむことができる。
尚、可視光線ランプは一つであっても本効果を奏することができるが、複数であれば多色に発光でき、多彩な演出をすることが可能である。
【００４０】
（２）本実施の形態は、照明ユニット１０は、パターンデータ２５が、各ランプ１１・１２・１３の定格電力での最大照度を１００％とした際、紫外線ランプ１１を１００％の照度にしたとき、可視光線ランプ１２・１３を１００％の照度で点灯するパターンを備えた構成である。
以上の構成により、照明装置１は、紫外線ランプ１１を１００％の照度にしたとき、可視光線ランプ１２又は可視光線ランプ１３も１００％の照度となるので、可視光線ランプの黄色やオレンジ色が被写体５・６に放射しながら、被写体５・６が発光し白く鮮やかに見えるので被写体５・６を際だたせることができる。これは、各ランプ１１・１２・１３が時々刻々と照度が変化するため、更に際だって被写体５・６が映るのである。尚、可視光線ランプは一つであっても本効果を奏することができるが、複数であれば多色に発光でき、多彩な演出をすることが可能である。
【００４１】
（３）本実施の形態は、照明ユニット１０は、異なる有彩色の可視光線ランプ１２・１３を少なくとも２個設け、パターンデータ２５は、各ランプ１１・１２・１３の定格電力での最大照度を１００％とした際、紫外線ランプ１１を１００％の照度にしたとき、少なくともどちらか一方の可視光線ランプ１２・１３を１００％の照度で点灯するパターンを備えた構成である。
以上の構成により、照明装置１は、紫外線ランプ１１を１００％の照度にしたとき、可視光線ランプ１２又は可視光線ランプ１３も１００％の照度となるので、可視光線ランプのオレンジ色や黄色が被写体５・６に放射しながら、被写体５・６が発光し白く鮮やかに見えるので被写体５・６を際だたせることができる。これは、各ランプ１１・１２・１３が時々刻々と照度が変化するために更に際だって被写体５・６が映るのである。
【００４２】
（４）本実施の形態は、制御部４０は、制御コントローラ２０に接続されたメインスイッチ３１と、少なくとも各ランプ１１・１２・１３に対応して照度を操作可能な操作スイッチ３２と、パターンデータ２５での制御を無効とし操作スイッチ３２の操作を有効にする切替手段と、を備えた構成である。
以上の構成により、照明装置１は、メインスイッチ３１を入れるだけで操作スイッチ３２を有効にする動作を自動で切り替えることができるので、操作が簡単である。
【００４３】
（５）本実施の形態は、照明ユニット１０は、紫外線ランプ１１による被写体５・６の発光時の発光色の色相と放射する有彩色の色相とが補色関係にある有彩色の光を放射することができる可視光線ランプを備えた構成である。
以上の構成により、照明装置１は、被写体の蛍光塗料による発光色と補色関係にある色の光を放射する可視光線ランプ１１又は可視光線ランプ１２により、時々刻々とする照度の変化と相まって被写体５・６をより鮮明に浮かび上がらせることができる。
以上の構成において、可視光線ランプは一つであっても本効果を奏することができるが、複数であれば多色に発光でき、多彩な演出をすることが可能である。本実施例のように可視光線ランプを可視光線ランプ１１及び可視光線ランプ１２にすることにより、２色の色が表現でき更に演出を多彩にすることができる。
【００４４】
（６）本実施の形態は、照明ユニット１０は、紫外線ランプ１１が放射されないとき、可視光線ランプ１２又は可視光線ランプ１３は、１００％の照度でオレンジ色の可視光線（ＣＯＯ）又は黄色の可視光線（ＣＹＹ）を放射しているパターンをパターンデータ２５に備えている。
以上の構成により、照明装置１は、紫外線ランプ１１が放射されないときでも、可視光線ランプ１２又は可視光線ランプ１３の照度が変化するため、被写体５・６に映る様々な色の変化を楽しむことが可能である。
【００４５】
（７）本実施の形態は、照明ユニット１０は、紫外線ランプ１１は放射されないときでも、可視光線ランプ１２及び可視光線ランプ１３は、０から１００％の照度でオレンジ色の可視光線（ＣＯＯ）又は、０から１００％の照度で黄色の可視光線（ＣＹＹ）を放射しているパターンをパターンデータ２５に備えている。
以上の構成により、照明装置１は、紫外線ランプ１１が放射されないときでも、可視光線ランプ１２又は可視光線ランプ１３の照度が変化するため、被写体５・６に映る様々な色の変化を楽しむことが可能である。
【００４６】
（８）本実施の形態は、紫外線を放射する紫外線ランプ１１および可視光線であって有彩色を放射する可視光線ランプ１２・１３を一つのユニットに収容するとともに、発光機能を有する塗料を塗布した被写体を照射するように構成された照明ユニット１０と、該照明ユニット１０に接続され紫外線ランプ１１および可視光線ランプ１２・１３の照度を制御する制御部４０とを備えた照明装置１であって、制御部４０は、商用交流電源を入力する入力部３３と、入力部から入力された電源の電流又は電圧を調整する電力調整部３５と、各ランプ１１・１２・１３に対応して設けられるとともに、電力調整部３５に接続され各ランプ１１・１２・１３の照度を調整することが可能な操作スイッチ３２と、操作スイッチ３２で調整した電力を照明ユニット１０に出力する出力部３４と、を備えた構成である。
以上の構成により、照明装置１は、紫外線ランプ１１の０から１００％の所望する照度で光を放射することができ、また、可視光線ランプ１２・１３の０から１００％の所望する照度で光を放射することができので、被写体５・６に映る様々な色の変化を楽しむことが可能である。
以上の構成において、可視光線ランプは一つであっても本効果を奏することができるが、複数であれば多色に発光でき、多彩な演出をすることが可能である。本実施例のように可視光線ランプを可視光線ランプ１１及び可視光線ランプ１２にすることにより、２色の色が表現でき更に演出を多彩にすることができる。
【００４７】
（９）本実施の形態は、照明装置１が、各ランプ１１・１２・１３に対応して設けられる照度を調整することが可能な操作スイッチ３２を操作することで、フェードイン手段２６やフォードアウト手段２７の時間間隔を自由に変えて操作することができるので、被写体５・６に映る様々な色の変化を楽しむことが可能である。
（本実施例で考えられる他の技術思想）
【００４８】
前記照明ユニットは、前記紫外線ランプによる前記被写体の発光時の発光色の色相と可視光線ランプが放射する有彩色の色相との差が少なくともマンセル色相環に基づいて定められる１０から１１の色相差を持つ有彩色の光を放射することができる可視光線ランプを備えたことを特徴とする請求項１乃至請求項３のいずれか一項に記載の照明装置。
以上の構成により、照明装置１は、被写体の蛍光塗料による発光色と補色関係にある色の光を放射する可視光線ランプ１１・１２により、時々刻々とする照度の変化と相まって被写体５・６をより鮮明に浮かび上がらせることができる。
（他の実施形態への変更例）
【００４９】
以上説明した実施形態を他の実施形態へ変更した例を以下に示す。
・以上の本実施形態では、紫外線ランプ１１が発する光のピーク波長は３６８ｎｍで説明したが、長波長紫外線の３２０ｎｍから４００ｎｍの範囲で使用されるものであれば、人体への有害性もなく安全に使用することができる。
・以上の本実施形態では、可視光線ランプ１２・１３をネオン管ランプで説明したが、ＬＥＤや蛍光管ランプやＥＥＦＬランプや電球であっても良い。特にＬＥＤでは、１つのモジュールで多色の色を放射することが出来るので、コンパクトに構成することも可能である。
・以上の本実施形態では、被写体５・６を造花や鞠で説明したが、被写体として車、自転車、鞄、衣服、おもちゃ等のショーウインドウケースに飾られる物や、モニュメント、像、看板、避難誘導看板、室内の壁面、室外の壁面が考えられる。
・以上の本実施形態では、照明ユニット１０からの光を被写体５・６に直接照らす直接照明で説明したが、照明ユニット１０からの光を壁面等に光を反射させてから被写体５・６に放射するような間接照明であっても良い。
・以上の本実施形態以外にも蛍光塗料は種々のものを採用しても良く、可視光線の下では、蛍光色を発し、紫外線下ではその色が鮮やかに発光するものとして、グリーン色、オレンジ色、クリーム色、レモン色、ピンク色、ブルー色がある。また、例えば可視光下では実質的に無色または白色であり、紫外線下で異なった色を発光するものとして、水性蛍光顔料としてオレンジ、オレンジイエロー、マゼンタ、レモン、レッドオレンジ、サリーズ、ホワイト、ブルー、グリーン、レッド等の塗料がある。
・以上の本実施形態では、紫外線ランプ１１及び紫外線ランプ１２・１３はガラス管の管内壁に蛍光物質を塗布した物を使用したが、発光させる色に管を着色したものであっても良い。
【００５０】
・以上の本実施形態では、操作スイッチ３２は、スライド式のスイッチで説明したが、ボリューム式であっても良い。
・以上の本実施形態では、各ランプ１１・１２・１３の定格電力を１３Ｗのとき１００％の照度としたが、特に限定されることなく、各ランプの特性に合わせて変更が可能である。定格電力で最大出力できる照度を１００％とすればよく、その１００％を基準にして消灯している状態が０％となるように決定すればよい。
・以上の本実施形態では、各パターンデータ２５は、図５や図７に示すように時間毎において直線的に制御されているが、各ランプの特性に合わせて曲線であったり段階的な制御であっても良い。
・以上の本実施形態では、パターンデータ１・２は、必ず可視光線ランプ１２・１３が光を放射しているパターンを示しているが、紫外線ランプ１１の発光だけ行うパターンを盛り込んだものでも良い。
・以上の本実施形態では、被写体５・６は、蛍光物質を塗布した物を使用したが、最初から蛍光物質を練り込んで形成したような被写体であっても良い。例えば、蛍光物質を含有したプラスチックやゴムを型成形して製造した装飾品、おもちゃ及び置物等がある。
【産業上の利用可能性】
【００５１】
本実施形態における照明装置に使用されるショーウインドウケースだけでなく、街角で見られるショーウインドウの天井面又は床面あるいは設置看板にも照明装置を使用することができる。
【図面の簡単な説明】
【００５２】
【図１】本実施形態における照明ユニットを搭載したショーウインドウケースの概要を現した斜視図である。
【図２】本実施形態における照明ユニットを搭載したショーウインドウケースの概要を現した側面から見た断面図である。
【図３】本実施形態における照明ユニットを現した斜視図である。
【図４】実施例１における照明装置を現したブロック図である。
【図５】実施例１における本実施形態における制御コントローラに記憶されたパターンデータ１により制御される各ランプの照度と時間の関係を現したタイミングチャートＡの図である。
【図６】実施例１における本実施形態における制御コントローラに記憶されたパターンデータ１により制御される各ランプの照度を時間毎に現した概念図である。
【図７】実施例１における本実施形態における制御コントローラに記憶されたパターンデータ２により制御される各ランプの照度と時間の関係を現したタイミングチャートＢの図である。
【図８】実施例２における照明装置を現したブロック図である。
【符号の説明】
【００５３】
１・・・照明装置、２・・・制御部、３・・・ショーウインドウケース、
５・６・・・被写体、７・・・交流電源、
１０・・・照明ユニット、１１・・・紫外線ランプ、
１２・・・可視光線ランプ、１３・・・可視光線ランプ、
１４・・・カバー、１５・・・筐体、１６・・・保持具、１７・・・配線孔、
１８・・・ベース板、１９・・・取付片、
２０・・・制御コントローラ、２１・・・ＣＰＵ、２２・・・ＲＯＭ、
２３・・・ＲＡＭ、２４・・・データ記憶領域、２５・・・パターンデータ、
２６・・・フェードイン手段、２７・・・フェードアウト手段、
３０・・・制御ＢＯＸ、３１・・・切替スイッチ、３２・・・操作スイッチ、
３３・・・入力部、３４・・・出力部、３５・・・電力調整部、
３６・・・Ａ／Ｄ変換器、３７・・・ＤＣ電源、
４０・・・制御部、
ＣＯＯ・・・可視光線（オレンジ色）、ＣＹＹ・・・可視光線（黄色）、
ＢＬＡ・・・紫外線。
【図１】
2009266672.tif 000003
【図２】
2009266672.tif 000004
【図３】
2009266672.tif 000005
【図４】
2009266672.tif 000006
【図５】
2009266672.tif 000007
【図６】
2009266672.tif 000008
【図７】
2009266672.tif 000009
【図８】
2009266672.tif 000010